(57)【特許請求の範囲】
【請求項１】
貫通穴を備える筺体と、
前記貫通穴の開口方向に並んで配置され、連動して互いに反対方向に回転する第１および第２の回転枠と、
互いに接近または離間して前記貫通穴を開閉する第１および第２のレンズカバーと、を有し、
前記第１のレンズカバーが、一端側に設けられて前記第１の回転枠に対して回動可能に連結する第１の連結部と、他端側に設けられて前記第２の回転枠に対して回動可能に連結する第２の連結部とを備え、
前記第２のレンズカバーが、一端側に設けられて前記第２の回転枠に対して回動可能に連結する第３の連結部と、他端側に設けられて前記第１の回転枠に対して回動可能に連結される第４の連結部とを備える、レンズフード。
【請求項２】
前記第１のレンズカバーが、その一端から前記第２のレンズカバー側に延在して且つ前記第１の連結部が設けられた第１のアーム部と、その他端から前記第２のレンズカバー側に延在して且つ前記第２の連結部が設けられた第２のアーム部とを備え、
前記第２のレンズカバーが、その一端から前記第１のレンズカバー側に延在して且つ前記第３の連結部が設けられた第３のアーム部と、その他端から前記第１のレンズカバー側に延在して且つ前記第４の連結部が設けられた第４のアーム部とを備え、
第１および第２のレンズカバーが全閉状態であるとき、前記貫通穴の開口方向視で、前記第１および第２の連結部の間に前記第２のレンズカバーが位置するとともに、前記第３および第４の連結部の間に前記第１のレンズカバーが位置する、請求項１に記載のレンズフード。
【請求項３】
前記貫通穴の開口方向視で、前記第１のアーム部と前記第３のアーム部が重なるとともに、前記第２のアーム部と前記第４のアーム部が重なる、請求項２に記載のレンズフード。
【請求項４】
前記第１、第２、第３、および第４の連結部が円柱状ピンであって、
前記第１の回転枠が、前記第１および第４の連結部それぞれを回動可能に且つ変位可能に保持する複数の長穴または溝を備え、
前記第２の回転枠が、前記第２および第３の連結部それぞれを回動可能に保持する円形状穴を備える、請求項１から３のいずれか一項に記載のレンズフード。
【請求項５】
前記第１の回転枠と前記第２の回転枠との間に設けられたピニオンギヤをさらに有し、
前記第１および前記第２の回転枠それぞれが、前記ピニオンギヤと噛み合うラック歯を備える、請求項１から４のいずれか一項に記載のレンズフード。
【請求項６】
前記第１の回転枠が、ユーザが前記第１の回転枠を回転させるときに操作するレバーを備える、請求項１から５のいずれか一項に記載のレンズフード。
【請求項７】
請求項１から６のいずれか一項に記載のレンズフードと、
前記レンズフードが取り付けられる鏡筒と、を有する撮像装置。
【発明の詳細な説明】
【技術分野】
【０００１】
本開示は、レンズフードおよびそれを備えた撮像装置に関する。
【背景技術】
【０００２】
例えば、特許文献１には、撮像装置の鏡筒に装着されるレンズフードが開示されている。このレンズフードは、撮像装置の鏡筒のレンズを選択的に覆って保護する２枚のレンズカバーを備える。レンズカバーそれぞれは、側面視（左右方向視）で湾曲した湾曲形状を備える。レンズカバーそれぞれが左右方向に延在する回転中心線を中心にして回動することにより、レンズカバーが互いに接近するまたは離間してレンズが覆われるまたは露出される。
【先行技術文献】
【特許文献】
【０００３】
【特許文献１】特開２０１５−１１１２４０号公報
【発明の概要】
【発明が解決しようとする課題】
【０００４】
しかしながら、特許文献１に記載のレンズフードの場合、湾曲形状のレンズカバーそれぞれが全閉状態から回動すると、そのレンズカバーそれぞれは、前方（すなわち被写体側）に移動する。そのため、レンズフードのレンズカバーが保護するレンズが大きくなればなるほど、レンズカバーが大型化するとともに、そのレンズカバーの前方への移動量が増加する。その結果、レンズフードが大型化する、特に前後方向のサイズが大きくなる。そのため、特許文献１に記載のレンズフードは小型化が困難である。
【０００５】
そこで、本開示は、レンズカバーを備えるレンズフードを小型化することを課題とする。
【課題を解決するための手段】
【０００６】
上述の課題を解決するために、本開示の一態様によれば、
貫通穴を備える筺体と、
前記貫通穴の開口方向に並んで配置され、連動して互いに反対方向に回転する第１および第２の回転枠と、
互いに接近または離間して前記貫通穴を開閉する第１および第２のレンズカバーと、を有し、
前記第１のレンズカバーが、一端側に設けられて前記第１の回転枠に対して回動可能に連結する第１の連結部と、他端側に設けられて前記第２の回転枠に対して回動可能に連結する第２の連結部とを備え、
前記第２のレンズカバーが、一端側に設けられて前記第２の回転枠に対して回動可能に連結する第３の連結部と、他端側に設けられて前記第１の回転枠に対して回動可能に連結される第４の連結部とを備えるレンズフードが提供される。
【０００７】
また、本開示の別の態様によれば、
上述のレンズフードと、
前記レンズフードが取り付けられる鏡筒と、を有する撮像装置が提供される。
【発明の効果】
【０００８】
本開示によれば、レンズカバーを備えるレンズフードを小型化することができる。
【図面の簡単な説明】
【０００９】
【図１】本開示の実施の形態１に係るレンズフードが装着された撮像装置の斜視図
【図２】レンズフードの前方斜視図
【図３Ａ】全閉状態のレンズフードの後方斜視図
【図３Ｂ】半開状態のレンズフードの後方斜視図
【図３Ｃ】全開状態のレンズフードの後方斜視図
【図４】レンズフードの分解後方斜視図
【図５Ａ】レンズバリアユニットの分解後方斜視図
【図５Ｂ】レンズバリアユニットの分解前方斜視図
【図６】第１の回転枠の前面図
【図７】第２の回転枠の後面図
【図８】第１の回転枠と第２の回転枠の駆動連結を示す部分断面図
【図９Ａ】全閉状態における、第１および第２のレンズカバーと第１および第２の回転枠を示す斜視図
【図９Ｂ】半開状態における、第１および第２のレンズカバーと第１および第２の回転枠を示す斜視図
【図９Ｃ】全開状態における、第１および第２のレンズカバーと第１および第２の回転枠を示す斜視図
【図１０Ａ】全閉状態における、第１および第２のレンズカバーと第１および第２の回転枠を示す後面図
【図１０Ｂ】半開状態における、第１および第２のレンズカバーと第１および第２の回転枠を示す後面図
【図１０Ｃ】全開状態における、第１および第２のレンズカバーと第１および第２の回転枠を示す後面図
【図１１】実施の形態１に係るレンズフードにおける第１および第２のレンズカバーの動きを概略的に示す図
【図１２】別の実施の形態２に係るレンズフードにおける第１および第２のレンズカバーの動きを概略的に示す図
【図１３】さらに別の実施の形態３に係るレンズフードにおける第１および第２のレンズカバーの動きを概略的に示す図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって特許請求の範囲に記載の主題を限定することを意図するものではない。
【００１２】
以下、本開示の実施の形態に係るレンズフードについて図面を参照しながら説明する。
【００１３】
（実施の形態１）
図１は、本開示の実施の形態１に係るレンズフードが装着された撮像装置の斜視図である。また、図２は、レンズフードの前方斜視図である。そして、図３Ａ〜図３Ｃは、レンズフードの後方斜視図である。
【００１４】
なお、図に示すＸ−Ｙ−Ｚ座標系は、本開示の理解を容易にするためのものであって、本開示を限定するものではない。Ｘ軸方向はレンズフードの前後方向を示し、Ｙ軸は左右方向を示し、Ｚ軸方向は上下方向を示している。また、本明細書においては、撮像装置が撮像する被写体が存在する側を「前側」とし、撮像装置が存在する側を「後側」としている。
【００１５】
図１に示すように、本実施の形態１に係るレンズフード１０は、撮像装置１００の鏡筒１０２の先端に永久的または着脱可能に装着されて使用される。これにより、レンズフード１０は、鏡筒１０２のレンズへの不要な入光を抑制するとともに、そのレンズを選択的に覆って保護する。
【００１６】
そのために、図２に示すように、レンズフード１０は、貫通穴１２ａを備える筺体１２と、筐体１２に設けられ、互いに接近または離間して貫通穴１２ａを開閉する第１および第２のレンズカバー１４、１６と、を有する。
【００１７】
図１および図２に示すように、本実施の形態１の場合、レンズフード１０の筺体１２は、左右方向（Ｙ軸方向）のサイズが上下方向（Ｚ軸方向）のサイズに比べて大きい矩形状の開口を持つ貫通穴１２ａを備える。この貫通穴１２ａを介して、撮像装置１００の鏡筒１０２内のレンズに被写体の像が入射する。
【００１８】
図３Ａ〜図３Ｃに示すように、第１および第２のレンズカバー１４、１６は、筺体１２の貫通穴１２ａの開口方向（Ｘ軸方向）に対して交差する（本実施の形態１の場合、直交する）平板状の部材である。
【００１９】
また、図３Ａは、第１および第２のレンズカバー１４、１６が全閉状態のレンズフード１０を示している。さらに、図３Ｂは、第１および第２のレンズカバー１４、１６が実質的に半開状態のレンズフード１０を示している。そして、図３Ｃは、第１および第２のレンズカバー１４、１６が全開状態のレンズフード１０を示している。これらの図に示すように、第１および第２のレンズカバー１４、１６それぞれは、貫通穴１２ａの開口方向（Ｘ軸方向）に対して交差する方向（Ｚ軸方向）に移動可能に、レンズフード１０の筺体１２に設けられている。これらのレンズカバーのさらなる詳細については後述する。
【００２０】
図４は、レンズフードの分解後方斜視図である。
【００２１】
図４に示すように、本実施の形態１の場合、レンズフード１０の筺体１２は、前側ケーシング１８と、後側ケーシング２０とから構成されている。前側ケーシング１８と後側ケーシング２０それぞれは、貫通穴１８ａ、２０ａを備える。前側ケーシング１８に対して後側ケーシング２０が複数のねじ２２によって固定されることにより、貫通穴１２ａを備える筺体１２が構成される。
【００２２】
前側ケーシング１８と後側ケーシング２０によって構成される筺体１２内に、第１および第２のレンズカバー１４、１６を含むレンズバリアユニット３０が組み込まれている。
【００２３】
図５Ａはレンズバリアユニットの前方斜視図であって、図５Ｂはレンズバリアユニットの後方斜視図である。
【００２４】
図５Ａおよび図５Ｂに示すレンズバリアユニット３０は、第１および第２のレンズカバー１４、１６を互いに接近させるまたは離間させるためのユニットである。具体的には、レンズバリアユニット３０は、第１および第２のレンズカバー１４、１６に加えて、これらのレンズカバーを移動させるための第１および第２の回転枠３２、３４を含んでいる。
【００２５】
図５Ａおよび図５Ｂに示すように、本実施の形態１の場合、第１および第２のレンズカバー１４、１６は、矩形状且つ平板状の部材である。互いに接近して接触した状態（すなわち全閉状態）のとき、第１のレンズカバー１４の下端が第２のレンズカバー１６の上端に接触する。
【００２６】
図６は、第１の回転枠３２の前面図である。また、図７は、第２の回転枠３４の後面図である。
【００２７】
図６および図７に示すように、第１および第２の回転枠３２、３４は、枠状の部材である。また、図５Ａおよび図５Ｂに示すように、第１および第２の回転枠３２、３４は、筺体１２の貫通穴１２ａの開口方向（Ｘ軸方向）に並ぶように、また第１および第２のレンズカバー１４、１６を挟んで対向するように配置されている。また、詳細は後述するが、第１および第２の回転枠３２、３４は、連動して互いに反対方向に回転する。
【００２８】
具体的には、本実施の形態１の場合、第１および第２の回転枠３２、３４は、筺体１２の貫通穴１２ａの開口方向（Ｘ軸方向）に延在する共通の回転中心線Ｃを中心にして互いに反対方向に回転する。第１の回転枠３２が回転中心線Ｃを中心にして時計回転方向に回転すると、第２の回転枠３４が連動して反時計回転方向に回転する。
【００２９】
共通の回転中心線Ｃを中心にして第１および第２の回転枠３２、３４を回転させるために、本実施の形態の場合、レンズバリアユニット３０は、第１および第２の回転枠３２、３４をガイドするガイド部材３６、３８を含んでいる。
【００３０】
ガイド部材３６、３８は、回転中心線Ｃを挟んで対向するように配置され、第１の回転枠３２側（すなわち後面）に円弧状の突条部３６ａ、３８ａを備える。この円弧状の突条部３６ａ、３８ａと係合する円弧状溝３２ａ、３２ｂが、第１の回転枠３２の前面３２ｃに形成されている。このようなガイド部材３６、３８にガイドされることにより、第１の回転枠３２は、回転中心線Ｃを中心にして回転する。
【００３１】
また、ガイド部材３６、３８は、第２の回転枠３４側（すなわち前面）に複数の突条部３６ｂ、３８ｂを備える。この突条部３６ｂ、３８ｂと係合する円弧状溝３４ａ、３４ｂが、第２の回転枠３４の後面３４ｃに形成されている。このようなガイド部材３６、３８にガイドされることにより、第２の回転枠３４は、回転中心線Ｃを中心にして回転する。
【００３２】
なお、ガイド部材３６、３８は、図４に示すように、複数のねじ４０によって前側ケーシング１８に固定される。
【００３３】
第１および第２の回転枠３２、３４を連動して互いに反対方向に回転させるために、本実施の形態１の場合、レンズバリアユニット３０は、ラックアンドピニオン機構を備える。
【００３４】
具体的には、図５Ａおよび図５Ｂに示すように、第１の回転枠３２と第２の回転枠３４との間に配置され、これらの回転枠の回転中心線Ｃを挟んで対向する複数のピニオンギヤ４２、４４を、レンズバリアユニット３０は含んでいる。ピニオンギヤ４２、４４は、ガイド部材３６、３８のギヤ収納部３６ｃ、３８ｃに収納されている。
【００３５】
このようなピニオンギヤ４２、４４と係合するラック歯が第１および第２の回転枠３２、３４に形成されている。図６および図７に示すように、一方のピニオンギヤ４２と係合するラック歯３２ｄ、３４ｄが、円弧状溝３２ａ、３４ａ内に設けられている。また、他方のピニオンギヤ４４と係合するラック歯３２ｅ、３４ｅが円弧状溝３２ｂ、３４ｂ内に設けられている。
【００３６】
図８は、第１の回転枠と第２の回転枠の駆動連結を示す部分断面図である。
【００３７】
図８に示すように、第１の回転枠３２のラック歯３２ｄと第２の回転枠３４のラック歯３４ｄとが、ピニオンギヤ４２を挟んでいる。その結果、第１の回転枠３２のラック歯３４ｄが上昇すると、ピニオンギヤ４２が回転して第２の回転枠３４のラック歯３４ｄを降下させる。このようなラックアンドピニオン機構により、第１の回転枠３２が回転中心線Ｃを中心として回転すると、第２の回転枠３２が連動して反対方向に回転する。
【００３８】
なお、本実施の形態１の場合、第１の回転枠３２は、手動によって回転する。図４に示すように、ユーザが第１の回転枠３２を回転させるときに操作するレバー３２ｆが、第１の回転枠３２に設けられている。レバー３２ｆは、後側ケーシング２０に向かって突出し、後側ケーシング２０に形成された円弧状のスロット２０ｂを介して筺体１２の外部に露出する（図３Ａ〜図３Ｃ参照）。
【００３９】
第１および第２の回転枠３２、３４と第１および第２のレンズカバー１４、１６は連結されている。
【００４０】
図５Ａおよび図５Ｂに示すように、第１のレンズカバー１４は、一端側（左右方向（Ｙ軸方向）の一端側）に設けられて第１の回転枠３２に対して回動可能に連結する連結部１４ａ（第１の連結部）を備える。それに加えて、第１のレンズカバー１４は、他端側（左右方向（Ｙ軸方向）の他端側）に設けられて第２の回転枠３４に対して回動可能に連結する連結部１４ｂ（第２の連結部）を備える。本実施の形態１の場合、連結部１４ａ、１４ｂは円柱状ピンである。
【００４１】
また、本実施の形態１の場合、第１のレンズカバー１４の一端（左右方向（Ｙ軸方向）の一端）から第２のレンズカバー１６側に延在するアーム部１４ｃ（第１のアーム部）に、連結部１４ａが設けられている。また、第１のレンズカバー１４の他端（左右方向（Ｙ軸方向）の他端）から第２のレンズカバー１６側に延在するアーム部１４ｄ（第２のアーム部）に、連結部１４ｂが設けられている。これにより、図５Ａおよび図５Ｂに示すように第１および第２のレンズカバー１４、１６が全閉状態であるとき、筺体１２の貫通穴１２ａの開口方向（Ｘ軸方向）視で、２つの連結部１４ａ、１４ｂの間に、第２のレンズカバー１６が位置する。このような構成を採用した理由については後述する。
【００４２】
第２のレンズカバー１６は、一端側（左右方向（Ｙ軸方向）の一端側）に設けられて第２の回転枠３４に対して回動可能に連結する連結部１６ａ（第３の連結部）を備える。それに加えて、第２のレンズカバー１６は、他端側（左右方向（Ｙ軸方向）の他端側）に設けられて第１の回転枠３２に対して回動可能に連結する連結部１６ｂ（第４の連結部）を備える。本実施の形態１の場合、連結部１６ａ、１６ｂは円柱状ピンである。
【００４３】
また、本実施の形態１の場合、第２のレンズカバー１６の一端（左右方向（Ｙ軸方向）の一端）から第１のレンズカバー１４側に延在するアーム部１６ｃ（第３のアーム部）に、連結部１６ａが設けられている。また、第２のレンズカバー１６の他端（左右方向（Ｙ軸方向）の他端）から第１のレンズカバー１４側に延在するアーム部１６ｄ（第４のアーム部）に、連結部１６ｂが設けられている。これにより、図５Ａおよび図５Ｂに示すように第１および第２のレンズカバー１４、１６が全閉状態であるとき、筺体１２の貫通穴１２ａの開口方向（Ｘ軸方向）視で、２つの連結部１６ａ、１６ｂの間に、第１のレンズカバー１４が位置する。このような構成を採用した理由については後述する。
【００４４】
さらに、本実施の形態１の場合、図５Ａおよび図５Ｂに示すように、筺体１２の貫通穴１２ａの開口方向（Ｘ軸方向）視で、第１のレンズカバー１４の一方のアーム部１４ｃ（第１のアーム部）と、第２のレンズカバー１６の一方のアーム部１６ｃ（第３のアーム部）とが重なっている。具体的には、第１のレンズカバー１４のアーム部１４ｃが第１の回転枠３２側に位置し、第２のレンズカバー１６のアーム部１６ｃが第２の回転枠３４側に位置するように、これらのアーム部が重なっている。このような構成を採用した理由については後述する。
【００４５】
同様に、図５Ａおよび図５Ｂに示すように、筺体１２の貫通穴１２ａの開口方向（Ｘ軸方向）視で、第１のレンズカバー１４の他方のアーム部１４ｄ（第２のアーム部）と、第２のレンズカバー１６の他方のアーム部１６ｄ（第４のアーム部）とが重なっている。具体的には、第１のレンズカバーのアーム部１４ｄが第２の回転枠３４側に位置し、第２のレンズカバー１６のアーム部１６ｄが第１の回転枠３２側に位置するように、これらのアーム部が重なっている。このような構成を採用した理由については後述する。
【００４６】
第１のレンズカバー１４の連結部１４ａ（第１の連結部）と第２のレンズカバー１６の連結部１６ｂ（第４の連結部）と連結するために、図５Ｂおよび図６に示すように、本実施の形態１の場合、第１の回転枠３２は、長穴３２ｇ、３２ｈを備える。
【００４７】
長穴３２ｇが第１のレンズカバー１４の連結部１４ａを回動可能に且つ変位可能に保持することにより、第１のレンズカバー１４と第１の回転枠３２とが連結される。また、長穴３２ｈが第２のレンズカバー１６の連結部１６ｂを回動可能に且つ変位可能に保持することにより、第２のレンズカバー１６と第１の回転枠３２とが連結される。なお、長穴３２ｇ、３２ｈは、第１の回転枠３２の回転中心線Ｃを挟んで対向し、回転中心線Ｃまでの距離が等しい。また、長穴３２ｇ、３２ｈに代わって、溝であってもよい。
【００４８】
第１のレンズカバー１４の連結部１４ｂ（第２の連結部）と第２のレンズカバー１６の連結部１６ａ（第３の連結部）と連結するために、図５Ａおよび図７に示すように、本実施の形態１の場合、第２の回転枠３４は、円形状穴３４ｆ、３４ｇを備える。
【００４９】
円形状穴３４ｆが第１のレンズカバー１４の連結部１４ｂを回動可能に保持することにより、第１のレンズカバー１４と第２の回転枠３４と連結される。また、円形状穴３４ｇが第２のレンズカバー１６の連結部１６ａを回動可能に保持することにより、第２のレンズカバー１６と第２の回転枠３４とが連結される。なお、円形状穴３４ｆ，３４ｇは、第２の回転枠３４の回転中心線Ｃを挟んで対向し、回転中心線Ｃまでの距離が等しい。
【００５０】
ここまでは、レンズバリアユニット３０の構成について説明してきた。ここからは、そのレンズバリアユニット３０の動作について、図９Ａ〜図９Ｃおよび図１０Ａ〜図１０Ｃを参照しながら説明する。
【００５１】
図９Ａは、全閉状態における、第１および第２のレンズカバーと第１および第２の回転枠を示す斜視図である。図９Ｂは、半開状態における、第１および第２のレンズカバーと第１および第２の回転枠を示す斜視図である。図９Ｃは、全開状態における、第１および第２のレンズカバーと第１および第２の回転枠を示す斜視図である。
【００５２】
また、図１０Ａは、図９Ａに対応し、全閉状態における、第１および第２のレンズカバーと第１および第２の回転枠を示す後面図である。図１０Ｂは、図９Ｂに対応し、半開状態における、第１および第２のレンズカバーと第１および第２の回転枠を示す後面図である。図１０Ｃは、図９Ｃに対応し、全開状態における、第１および第２のレンズカバーと第１および第２の回転枠を示す後面図である。
【００５３】
図９Ａおよび図１０Ａに示すように、全閉状態であるとき、第１および第２のレンズカバー１４、１６は互いに接触している。この状態からユーザがレバー３２ｆを操作して第１の回転枠３２を時計回転方向（後方視で）に回転させると、ピニオンギヤ４２、４４を介して、第２の回転枠３４が反時計回転方向に回転する。その結果、第１の回転枠３２の長穴３２ｇに保持されている第１のレンズカバー１４の連結部１４ａ（すなわちアーム部１４ｃ）が上昇する。それとともに、第２の回転枠３４の円形状穴３４ｆに保持されている第１のレンズカバー１４の連結部１４ｂ（すなわちアーム部１４ｄ）も上昇する。その結果として、第１のレンズカバー１４全体が、上方（上下方向（Ｚ軸方向）の一方側）に実質的に平行移動する。
【００５４】
一方、第１の回転枠３２の長穴３２ｈに保持されている第２のレンズカバー１６の連結部１６ｂ（すなわちアーム部１６ｄ）は、第１のレンズカバー１６の連結部１４ａと異なり、降下する。それとともに、第２の回転枠３４の円形状穴３４ｇに保持されている第２のレンズカバー１６の連結部１６ａ（すなわちアーム部１６ｃ）も降下する。その結果として、第２のレンズカバー１６全体が、下方（上下方向（Ｚ軸方向）の他方側）に実質的に平行移動する。
【００５５】
ユーザがレバー３２ｆを操作して第１の回転枠３２を時計回転方向にさらに回転させると、図９Ｂおよび図１０Ｂに示すように、第１および第２の回転枠３２、３４の回転中心線Ｃと、これらの回転枠に保持される第１および第２のレンズカバー１４、１６の連結部１４ａ、１４ｂ、１６ａ、１６ｂとが実質的に同一平面上に配置される。このとき、第１および第２のレンズカバー１４、１６は半開状態になる。
【００５６】
半開状態からユーザが第１の回転枠３２を時計回転方向にさらに回転させると、図９Ｃおよび図１０Ｃに示すように、第１のレンズカバー１４の連結部１４ａ、１４ｂが、第２のレンズカバー１６の連結部１６ａ、１６ｂに対して上方に配置される。その結果として、第１および第２のレンズカバー１４、１６が全開状態になる。
【００５７】
なお、全開状態から全閉状態への移行は、ユーザがレバー３２ｆを操作して第１の回転枠３２を反時計回転方向に回転させることによって実行される。
【００５８】
また、本実施の形態１の場合、全開状態または全閉状態を維持するために、すなわち第１および第２のレンズカバー１４、１６が自由に移動しないように、図４に示すように、複数のトーションバネ４６、４８が第２の回転枠３４を付勢している。トーションバネ４６、４８の一端が、前側ケーシング１８のバネ支持穴１８ｂ、１８ｃに挿入されている。また、トーションバネ４６、４８の他端が、図５Ｂに示すように、第２の回転枠３４のバネ支持穴３４ｈ、３４ｉに挿入されている。
【００５９】
以上のような本実施の形態１によれば、レンズカバー１４、１６を備えるレンズフード１０を小型化することができる。
【００６０】
具体的には、図９Ａ〜図９Ｃに示すように、第１および第２のレンズカバー１４、１６がレンズフード１０の上下方向（Ｚ軸方向）に移動することにより、筺体１２の貫通穴１２ａが開閉される。すなわち、第１および第２のレンズカバー１４、１６は、レンズフード１０の前後方向（Ｘ軸方向）に移動することなく、貫通穴１２ａを開閉する。その結果として、レンズフード１０を小型化、特にレンズフード１０の前後方向（Ｘ軸方向）のサイズを縮小することができる（レンズカバーが前後方向に移動して開閉する場合に比べて）。
【００６１】
また、本実施の形態１の場合、好ましくは、レンズフード１０の左右方向（Ｙ軸方向）のサイズについても縮小されている。
【００６２】
図１１は、本実施の形態１に係るレンズフードにおける第１および第２のレンズカバーの動きを概略的に示している。また、図１２は、別の実施の形態２に係るレンズフードにおける第１および第２のレンズカバーの動きを概略的に示している。さらに、図１３は、さらに別の実施の形態３に係るレンズフードにおける第１および第２のレンズカバーの動きを概略的に示している。
【００６３】
図１１に示すように、本実施の形態１に係るレンズフード１０の場合、第１の特徴として、貫通穴１２ａの開口方向（Ｘ軸方向視）で、第１および第２の回転枠３２、３４に連結する第１のレンズカバー１４の連結部１４ａ、１４ｂの間に第２のレンズカバー１６が位置し、第２のレンズカバー１６の連結部１６ａ、１６ｂの間に第１のレンズカバー１６が位置する。そのため、第１および第２のレンズカバー１４、１６は、左右方向（Ｙ軸方向）に大きく移動することなく、上下方向（Ｚ軸方向）に開閉する。
【００６４】
また、第２の特徴として、貫通穴１２ａの開口方向（Ｘ軸方向）視で、少なくとも全閉状態であるときに、第１のレンズカバー１４のアーム部１４ｃ、１４ｄと第２のレンズカバー１６のアーム部１６ｃ、１６ｄが重なる。
【００６５】
これらの２つの特徴により、本実施の形態に係るレンズフード１０は、レンズフード１０の左右方向（Ｙ軸方向）のサイズについても縮小されている。
【００６６】
図１２に示す別の実施の形態２に係るレンズフードの場合、第１のレンズカバー１１４は、第１および第２の回転枠に連結するための連結部１１４ａ、１１４ｂをその左右方向（Ｙ軸方向）の両端に備える。同様に、第２のレンズカバー１１６は、第１および第２の回転枠に連結するための連結部１１６ａ、１１６ｂをその左右方向の両端に備える。
【００６７】
このような別の実施の形態２に係るレンズフードの場合、全閉状態から全開状態に移行するとき、第１および第２のレンズカバー１１４、１１６それぞれは、上下方向（Ｚ軸方向）に互いに離間しつつ、左右方向（Ｙ軸方向）について互いに反対方向に移動する。そのため、第１のレンズカバー１１４の連結部１１４ａと第２のレンズカバー１１６の連結部１１６ｂを保持する第１の回転枠の長穴が長くなり、それにより第１の回転枠が大型化する（実施の形態１に比べて）。その結果、実施の形態２においては、左右方向については、レンズフードの小型化が制限されている。しかしながら、上述の実施の形態１と同様に、実施の形態２に係るレンズフードも、前後方向（Ｘ軸方向）については小型化される。
【００６８】
図１３に示すさらに別の実施の形態３に係るレンズフードの場合、上述の実施の形態１と同様に、全閉状態であるとき、貫通穴１２ａの開口方向（Ｘ軸方向）視で、第１のレンズカバー２１４の連結部２１４ａ、２１４ｂとの間に第２のレンズカバー２１６が位置する。また、第２のレンズカバー２１６の連結部２１６ａ、２１６ｂの間に第１のレンズカバー２１４が位置する。
【００６９】
しかしながら、上述の実施の形態１と異なり、貫通穴１２ａの開口方向（Ｘ軸方向）視で、少なくとも全閉状態であるときに、第１のレンズカバー２１４のアーム部２１４ｃ、２１４ｄと第２のレンズカバー２１６のアーム部２１６ｃ、２１６ｄは重なっていない。
【００７０】
このようなさらに別の実施の形態３に係るレンズフードの場合、全閉状態から全開状態に移行するときの第１および第２のレンズカバー２１４、２１６の左右方向（Ｙ軸方向）の移動量は、上述の実施の形態１に係るレンズフード１０における第１および第２のレンズカバー１４、１６の移動量と実質的に同一である。しかしながら、アーム部を含む第１および第２のレンズカバーの左右方向のサイズについて、実施の形態３は、上述の実施の形態１に比べて大きい。その結果として、実施の形態３に係るレンズフードは、左右方向については、小型化がやや制限されている。しかしながら、上述の実施の形態１と同様に、実施の形態３に係るレンズフードも、前後方向（Ｘ軸方向）については小型化される。
【００７１】
以上、上述の実施の形態を挙げて説明したが、本開示の実施の形態は上述の実施の形態に限らない。
【００７２】
例えば、上述の実施の形態１の場合、第１および第２のレンズカバーは、レンズフードの上下方向（Ｚ軸方向）に開閉するが、本開示の実施の形態はこれに限らない。第１および第２のレンズカバーは、レンズフードの左右方向（Ｙ軸方向）に開閉してもよい。すなわち、レンズフードの貫通穴の開口方向に対して交差する方向に、第１および第２のレンズカバーは開閉すればよい。
【００７３】
また、上述の実施の形態１の場合、第１の回転枠がユーザによって回転され、その第１の回転枠の回転に連動して第２の回転枠が回転する。これに代わって、第２の回転枠がユーザによって回転されてもよい。さらには、これらの回転枠は、ユーザの手動ではなく、例えばモータなどによって回転されてもよい。すなわち、本開示の実施の形態に係るレンズフードにおいて、第１および第２の回転枠は、連動して互いに反対方向に回転すればよい。
【００７４】
さらに、上述の実施の形態１の場合、図８に示すように、第１の回転枠３２と第２の回転枠３４は、ラックアンドピニオン機構によって連動して互いに反対方向に回転する。しかしながら、本開示の実施の形態はこれに限らない。代わりとして、第１および第２の回転枠の一方に内歯も設けるとともに他方に外歯を設け、その内歯と外歯との間にギヤを設けてもよい。
【００７５】
すなわち、本開示の実施の形態に係るレンズフードは、広義には、貫通穴を備える筺体と、前記貫通穴の開口方向に並んで配置され、連動して互いに反対方向に回転する第１および第２の回転枠と、互いに接近または離間して前記貫通穴を開閉する第１および第２のレンズカバーと、を有し、前記第１のレンズカバーが、一端側に設けられて前記第１の回転枠に対して回動可能に連結する第１の連結部と、他端側に設けられて前記第２の回転枠に対して回動可能に連結する第２の連結部とを備え、前記第２のレンズカバーが、一端側に設けられて前記第２の回転枠に対して回動可能に連結する第３の連結部と、他端側に設けられて前記第１の回転枠に対して回動可能に連結される第４の連結部とを備える。
【００７６】
以上のように、本開示における技術の例示として、上述の実施の形態を説明してきた。そのために、図面および詳細な説明を提供している。したがって、図面及び詳細な説明に記載された構成要素の中には、課題解決のために必須な構成要素だけでなく、上述の技術を例示するために、課題解決のためには必須でない構成要素も含まれ得る。そのため、それらの必須ではない構成要素が図面や詳細な説明に記載されていることをもって、直ちに、それらの必須ではない構成要素が必須であるとの認定をするべきではない。
【００７７】
また、上述の実施の形態は、本開示における技術を例示するためのものであるから、特許請求の範囲又はその均等の範囲において種々の変更、置き換え、付加、省略等を行うことができる。
【産業上の利用可能性】
【００７８】
本開示は、撮像装置などの鏡筒に永久的に装着されるまたは着脱可能に装着されるレンズフードに適用可能である。
【符号の説明】
【００７９】
１４    第１のレンズカバー
１４ａ  連結部（第１の連結部）
１４ｂ  連結部（第２の連結部）
１６    第２のレンズカバー
１６ａ  連結部（第３の連結部）
１６ｂ  連結部（第４の連結部）
３２    第１の回転枠
３４    第２の回転枠
【要約】
【課題】レンズカバーを備えるレンズフードを小型化する。
【解決手段】レンズフードは、貫通穴を備える筺体と、貫通穴の開口方向に並んで配置され、連動して互いに反対方向に回転する第１および第２の回転枠３２、３４と、互いに接近または離間して貫通穴を開閉する第１および第２のレンズカバー１４、１６とを有する。第１のレンズカバー１４が、一端側に設けられて第１の回転枠３２に対して回動可能に連結する第１の連結部１４ａと、他端側に設けられて第２の回転枠３４に対して回動可能に連結する第２の連結部１４ｂとを備える。第２のレンズカバー１６が、一端側に設けられて第２の回転枠３４に対して回動可能に連結する第３の連結部１６ａと、他端側に設けられて第１の回転枠３２に対して回動可能に連結される第４の連結部１６ｂとを備える
【選択図】図５Ａ【図１】
0006799801.tif 000002
【図２】
0006799801.tif 000003
【図３Ａ】
0006799801.tif 000004
【図３Ｂ】
0006799801.tif 000005
【図３Ｃ】
0006799801.tif 000006
【図４】
0006799801.tif 000007
【図５Ａ】
0006799801.tif 000008
【図５Ｂ】
0006799801.tif 000009
【図６】
0006799801.tif 000010
【図７】
0006799801.tif 000011
【図８】
0006799801.tif 000012
【図９Ａ】
0006799801.tif 000013
【図９Ｂ】
0006799801.tif 000014
【図９Ｃ】
0006799801.tif 000015
【図１０Ａ】
0006799801.tif 000016
【図１０Ｂ】
0006799801.tif 000017
【図１０Ｃ】
0006799801.tif 000018
【図１１】
0006799801.tif 000019
【図１２】
0006799801.tif 000020
【図１３】
0006799801.tif 000021